(57)【要約】    【課題】      ＯＦＤＭ時間軸波形信号の信号品質特性の劣化を回避し、伝送特性を良好に維持しながら通信を行うこと。    【解決手段】  Ｓ／Ｐ変換部４０でコンステレーション座標信号を複数本のサブキャリア信号に変換し、第１ＩＦＦＴ処理部４１でこの複数本のサブキャリア信号に逆高速フーリエ変換を行い第１のＯＦＤＭ時間軸波形信号を算出し、第２ＩＦＦＴ処理部４６でこの第１のＯＦＤＭ時間軸波形信号から検出されたＰＡＲ値の大きさに応じて上記複数本のサブキャリア信号から削減された本数のサブキャリア信号に逆高速フーリエ変換を行い第２のＯＦＤＭ時間軸波形信号を算出する。  【選択図】      図３
2006074489.tif 000002
【特許請求の範囲】
【請求項１】
コンステレーション座標信号を複数本のサブキャリア信号に変換する変換部と、前記複数本のサブキャリア信号に逆高速フーリエ変換を行い第１のＯＦＤＭ時間軸波形信号を算出する第１の演算部と、前記第１のＯＦＤＭ時間軸波形信号から検出されたＰＡＲ値の大きさに応じて前記複数本のサブキャリア信号から削減された本数のサブキャリア信号に逆高速フーリエ変換を行い第２のＯＦＤＭ時間軸波形信号を算出する第２の演算部と、を具備することを特徴とするＡＤＳＬモデム装置。
【請求項２】
前記第１のＯＦＤＭ時間軸波形信号のＰＡＲ値を検出する検出部と、前記ＰＡＲ値の大きさに応じてサブキャリア信号の本数を削減するサブキャリア調整部と、さらに具備することを特徴とする請求項１記載のＡＤＳＬモデム装置。
【請求項３】
前記サブキャリア調整部は、前記ＰＡＲ値とサブキャリア信号の本数とが対応付けられたテーブルに従って削減するサブキャリア信号の本数を決定することを特徴とする請求項２記載のＡＤＳＬモデム装置。
【請求項４】
コンステレーション座標信号を複数本のサブキャリア信号に変換し、前記複数本のサブキャリア信号に逆高速フーリエ変換を行い第１のＯＦＤＭ時間軸波形信号を算出し、前記第１のＯＦＤＭ時間軸波形信号から検出されたＰＡＲ値の大きさに応じて前記複数本のサブキャリア信号から削減された本数のサブキャリア信号に逆高速フーリエ変換を行い第２のＯＦＤＭ時間軸波形信号を算出することを特徴とする通信制御方法。
【請求項５】
前記第１のＯＦＤＭ時間軸波形信号のＰＡＲ値を検出し、前記ＰＡＲ値の大きさに応じてサブキャリア信号の本数を削減することを特徴とする請求項４記載の通信制御方法。
【請求項６】
前記ＰＡＲ値とサブキャリア信号の本数とが対応付けられたテーブルに従って削減するサブキャリア信号の本数を決定することを特徴とする請求項５記載の通信制御方法。
【発明の詳細な説明】
【技術分野】
【０００１】
本発明は、ＡＤＳＬモデム装置及び通信制御方法に関し、特に、ＯＦＤＭ信号の信号品質特性の劣化を回避して通信を行うＡＤＳＬモデム装置及び通信制御方法に関する。
【背景技術】
【０００２】
近年、既存の電話回線を用いて高速のインターネット接続サービスと従来からの電話サービスとを同時に利用できるようにしたＡＤＳＬサービスが急速に普及している。現在、このようなＡＤＳＬサービスで使用されるＡＤＳＬモデム装置においては、変調方式やシンボルレート（変調速度）を変えずにデータ通信の速度を上げることのできる伝送技術であるＯＦＤＭ（Orthogonal Frequency Division Multiplexing）が採用されている。ＯＦＤＭにおいては、中心周波数が異なる複数のサブキャリアを利用することで、高い周波数効率の実現を可能とする。
【０００３】
なお、複数のサブキャリアを用いるデータ通信を行う場合において、回線状況等の要因により劣化し得る信号エネルギのゲインコントロールを適切に行うＡＤＳＬモデム装置が提案されている（例えば、特許文献１参照）。
【特許文献１】特開２００３−８５３６号公報
【発明の開示】
【発明が解決しようとする課題】
【０００４】
しかしながら、従来のＡＤＳＬモデム装置においては、ＯＦＤＭシンボル時間軸波形信号（ＯＦＤＭ時間軸波形信号）を生成する際に用いられるサブキャリア信号の時間軸波形信号（以下、「信号波形」という）の重なりによって平均電圧に対して極めて大きなピーク電圧が発生する事態が生じる。すなわち、平均電圧に対するピーク電圧の比を示すＰＡＲ（Peak Average Ratio）の値（以下、「ＰＡＲ値」という）が極めて大きくなる事態が生じる。このようにＰＡＲ値が極めて大きくなった場合には、ピーク電圧がＤＡ変換部やアナログフィルタのダイナミックレンジを超える原因となる。これにより、信号波形が歪み、ＯＦＤＭ時間軸波形信号の信号品質特性が劣化する結果、伝送特性が悪化する事態が生じ得る。
【０００５】
本発明は、以上のような実情に鑑みてなされたもので、ＯＦＤＭ時間軸波形信号の信号品質特性の劣化を回避し、伝送特性を良好に維持しながら通信を行うことができるＡＤＳＬモデム装置及び通信制御方法を提供することを目的とする。
【課題を解決するための手段】
【０００６】
本発明は、コンステレーション座標信号を複数本のサブキャリア信号に変換し、この複数本のサブキャリア信号に逆高速フーリエ変換を行い第１のＯＦＤＭ時間軸波形信号を算出し、この第１のＯＦＤＭ時間軸波形信号から検出されたＰＡＲ値の大きさに応じて上記複数本のサブキャリア信号から削減された本数のサブキャリア信号に逆高速フーリエ変換を行い第２のＯＦＤＭ時間軸波形信号を算出するようにしたものである。
【発明の効果】
【０００７】
本発明によれば、ＯＦＤＭ時間軸波形信号の信号品質特性の劣化を回避し、伝送特性を良好に維持しながら通信を行うことができる。
【発明を実施するための最良の形態】
【０００８】
本発明の第１の態様に係るＡＤＳＬモデム装置は、コンステレーション座標信号を複数本のサブキャリア信号に変換する変換部と、前記複数本のサブキャリア信号に逆高速フーリエ変換を行い第１のＯＦＤＭ時間軸波形信号を算出する第１の演算部と、前記第１のＯＦＤＭ時間軸波形信号から検出されたＰＡＲ値の大きさに応じて前記複数本のサブキャリア信号から削減された本数のサブキャリア信号に逆高速フーリエ変換を行い第２のＯＦＤＭ時間軸波形信号を算出する第２の演算部と、を具備する構成を採る。
【０００９】
この構成によれば、相手側ＡＤＳＬモデム装置に対してデータを送信する際、第１のＯＦＤＭ時間軸波形信号から検出されたＰＡＲ値の大きさに応じて複数本のサブキャリア信号から削減された本数のサブキャリア信号に逆高速フーリエ変換を行い第２のＯＦＤＭ時間軸波形信号が算出される。このため、サブキャリア信号の本数が削減されることによってＰＡＲ値が極めて大きくなる事態を確実に回避することができるので、ＯＦＤＭ時間軸波形信号の信号品質特性の劣化を回避し、伝送特性を良好に維持しながら通信を行うことができる。
【００１０】
本発明の第２の態様は、第１の態様に係るＡＤＳＬモデム装置において、前記第１のＯＦＤＭ時間軸波形信号のＰＡＲ値を検出する検出部と、前記ＰＡＲ値の大きさに応じてサブキャリア信号の本数を削減するサブキャリア調整部と、さらに具備する構成を採る。
【００１１】
この構成によれば、検出部で第１のＯＦＤＭ時間軸波形信号のＰＡＲ値が検出され、サブキャリア調整部でＰＡＲ値の大きさに応じてサブキャリア信号の本数が削減される。このため、第２の演算部は、サブキャリア調整部による削減後の本数のサブキャリア信号に応じて第２のＯＦＤＭ時間軸波形信号を適切に算出することができる。
【００１２】
本発明の第３の態様は、第２の態様に係るＡＤＳＬモデム装置において、前記サブキャリア調整部は、前記ＰＡＲ値とサブキャリア信号の本数とが対応付けられたテーブルに従って削減するサブキャリア信号の本数を決定する構成を採る。
【００１３】
この構成によれば、ＰＡＲ値とサブキャリア信号の本数とが対応付けられたテーブルに従って削減するサブキャリア信号の本数が決定される。このため、テーブルの内容に従って削減するサブキャリア信号の本数を適切に決定することができる。
【００１４】
本発明の第４の態様に係る通信制御方法は、コンステレーション座標信号を複数本のサブキャリア信号に変換し、前記複数本のサブキャリア信号に逆高速フーリエ変換を行い第１のＯＦＤＭ時間軸波形信号を算出し、前記第１のＯＦＤＭ時間軸波形信号から検出されたＰＡＲ値の大きさに応じて前記複数本のサブキャリア信号から削減された本数のサブキャリア信号に逆高速フーリエ変換を行い第２のＯＦＤＭ時間軸波形信号を算出するものである。
【００１５】
本発明の第５の態様は、第４の態様に係る通信制御方法において、前記第１のＯＦＤＭ時間軸波形信号のＰＡＲ値を検出し、前記ＰＡＲ値の大きさに応じてサブキャリア信号の本数を削減するものである。
【００１６】
本発明の第６の態様は、第５の態様に係る通信制御方法において、前記ＰＡＲ値とサブキャリア信号の本数とが対応付けられたテーブルに従って削減するサブキャリア信号の本数を決定するものである。
【００１７】
以下、図面を参照して本発明の実施の形態について具体的に説明する。
【００１８】
図１は、本発明が適用される家庭内などに設置された端末装置（ＡＴＵ−Ｒ）側又は交換局装置（ＡＴＵ−Ｃ）側の通信システムの概略構成を示す図である。
【００１９】
同図に示す通信システムは、公衆回線網又はこれと同等の回線網（以下、「回線」という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００２０】
ＡＤＳＬモデム装置２は、ＡＤＳＬ通信を実行するトランシーバ１１と、このトランシーバ１１を含む全体の動作を制御するホスト１２とを備えている。トランシーバ１１の回線側端部はアナログフロントエンド（以下、「ＡＦＥ」という）１３を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信され、アナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００２１】
図２は、ＡＤＳＬモデム装置２が有するトランシーバ１１の機能ブロック図である。プロセッサ２０は、ハンドシェイク手順、イニシャライズ手順を実行し、データ通信（ショータイム）中の通信制御を実行する機能を備える部分である。
【００２２】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、「ＩＦＦＴ」という）するＩＦＦＴ部２６から構成されている。
【００２３】
トランシーバ１１の受信側は、受信信号のサンプリングデータを高速フーリエ変換（以下、「ＦＦＴ」という）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。
【００２４】
ＲＡＭ３３は、プロセッサ２０のワークエリアであり、ハンドシェイク手順、イニシャライズ手順の実行時に使用される。トランシーバ１１は、ホストインターフェース（Ｉ／Ｆ）３４を介してホスト１２と接続される。
【００２５】
従来のＡＤＳＬモデム装置を用いて通信を行う場合において、ＰＡＲ値の大きさは、ＯＦＤＭシンボル時間軸波形信号（ＯＦＤＭ時間軸波形信号）を生成する際に用いられるサブキャリア信号の本数に依存する。一般にＯＦＤＭ時間軸波形信号を生成する際に用いられるサブキャリア信号の本数は５１２本であり、これらのサブキャリア信号の位相が同相になると、ＰＡＲ値は極めて大きい値になる。このため、本実施の形態に係るＡＤＳＬモデム装置２においては、ＯＦＤＭ時間軸波形信号を生成する際に用いられるサブキャリア信号の本数を調整（削減）することでサブキャリア信号の時間軸波形信号の重なりを変化させる。そして、このサブキャリア信号の時間軸波形信号から求められるＯＦＤＭ時間軸波形信号を回線に送出する。
【００２６】
サブキャリア信号の本数を調整する際の処理は、送信側のＡＤＳＬモデム装置２におけるＩＦＦＴ部２６で行われる。以下、本実施の形態に係るＡＤＳＬモデム装置２のＩＦＦＴ部２６の詳細な構成について説明する。
【００２７】
図３は、本実施の形態に係るＩＦＦＴ部２６の詳細な構成を示すブロック図である。
【００２８】
同図に示すように、ＩＦＦＴ部２６は、シリアル／パラレル変換部（以下、「Ｓ／Ｐ変換部」という）４０、第１ＩＦＦＴ処理部４１、ＰＡＲ検出部４２、サブキャリア調整部４３、サブキャリア選択部４４、サブキャリア選択スイッチ（ＳＷ）４５−１〜４５−５１２及び第２ＩＦＦＴ処理部４６で構成されている。
【００２９】
Ｓ／Ｐ変換部４０は、コンステレーション符号化部２５から複素数平面上にマッピングされたコンステレーション座標信号を受信する。そして、このコンステレーション座標信号にシリアル／パラレル変換処理（以下、「Ｓ／Ｐ変換処理」という）を行い、５１２本のサブキャリア信号を得る。そして、この５１２本のサブキャリア信号を第１ＩＦＦＴ処理部４１及びサブキャリア選択ＳＷ４５−１〜４５−５１２に出力する。
【００３０】
第１ＩＦＦＴ処理部４１は、Ｓ／Ｐ変換部４０から入力された５１２本のサブキャリア信号にＩＦＦＴ処理を行い、各サブキャリア信号の時間軸波形信号を得る。さらに、これらの時間軸波形信号を合成してＯＦＤＭ時間軸波形信号を得る。そして、このＯＦＤＭ時間軸波形信号をＰＡＲ検出部４２に出力する。
【００３１】
ＰＡＲ検出部４２は、第１ＩＦＦＴ処理部４１から入力されたＯＦＤＭ時間軸波形信号におけるＰＡＲ値を検出する。そして、検出したＰＡＲ値をサブキャリア調整部４３に出力する。
【００３２】
サブキャリア調整部４３は、ＰＡＲ検出部４２が検出したＰＡＲ値に応じてＯＦＤＭ時間軸波形信号を生成する際に用いられるサブキャリア信号の本数を決定する。サブキャリア調整部４３は、サブキャリア信号の本数を決定する際に参照するテーブル（以下、「サブキャリア本数テーブル」という）を有する。サブキャリア調整部４３は、このサブキャリア本数テーブルの内容に応じて決定したサブキャリア信号の本数をサブキャリア選択部４４に出力する。
【００３３】
図４は、サブキャリア本数テーブルの内容の一例を示す図である。
【００３４】
同図に示すように、サブキャリア本数テーブルには、ＰＡＲ値（Ｙ）に対応付けてＯＦＤＭ時間軸波形信号を生成する際に用いられるサブキャリア信号の本数が登録されている。具体的には、ＰＡＲ値Ｙが１２ｄＢ未満の場合に対応して５１２本が登録され、１２ｄＢ以上１５ｄＢ未満の場合に対応して２５６本が登録され、１５ｄＢ以上１８ｄＢ未満の場合に対応して１２８本が登録され、１８ｄＢ以上２１ｄＢ未満の場合に対応して６４本が登録され、２１ｄＢ以上２４ｄＢ未満の場合に対応して３２本が登録され、２４ｄＢ以上の場合に対応して３２本が登録されている。
【００３５】
サブキャリア選択部４４は、サブキャリア調整部４３が決定したサブキャリア信号の本数に応じてサブキャリア選択ＳＷ４５−１〜４５−５１２の開閉状態を決定する。その際、サブキャリア選択部４４は、予め定められた規則に従ってサブキャリア選択ＳＷ４５−１〜４５−５１２の開閉状態を決定する。
【００３６】
例えば、サブキャリア信号の本数が２５６本の場合には、偶数番号に配置されるサブキャリア信号に対応するサブキャリア選択ＳＷ４５−２、４５−４等を開状態とし、１２８本の場合には２５６本のサブキャリア信号のさらに偶数番号に配置されるサブキャリア信号に対応するサブキャリア選択ＳＷ４５−４、４５−８等を開状態にする。なお、サブキャリア選択ＳＷの開閉状態はどのように設定してもよい。
【００３７】
サブキャリア選択ＳＷ４５−１〜４５−５１２は、サブキャリア選択部４４の選択結果に応じて開閉状態を切り替える。閉状態の場合にのみＳ／Ｐ変換部４０から入力されたサブキャリア信号を第２ＩＦＦＴ処理部４６に出力する。
【００３８】
第２ＩＦＦＴ処理部４６は、閉状態となっているサブキャリア選択ＳＷ４５からサブキャリア信号を受け取る。そして、そのサブキャリア信号にＩＦＦＴ処理を行い、各サブキャリア信号の時間軸波形信号を得る。さらに、これらの時間軸波形信号を合成してＯＦＤＭ時間軸波形信号を得る。そして、このＯＦＤＭ時間軸波形信号をＡＦＥ１３に出力する。ＯＦＤＭ時間軸波形信号は、ＡＦＥ１３を介して回線に送出される。
【００３９】
ここで、各サブキャリア信号の位相と、これらのサブキャリア信号から得られる時間軸波形信号を合成したＯＦＤＭ時間軸波形信号のＰＡＲ値との関係について説明する。
【００４０】
図５及び図６は、各サブキャリア信号から求められる時間軸波形信号の位相と、これらの時間軸波形信号を合成したＯＦＤＭ時間軸波形信号のＰＡＲ値との関係を示す図である。なお、便宜上、図５及び図６においては、ｆ１〜ｆ６の６本のみのサブキャリア信号から求められる時間軸波形信号を示している。
【００４１】
図５は、サブキャリア信号の本数を調整（削減）していない状態の各サブキャリア信号から求められる時間軸波形信号の位相と、これらの時間軸波形信号を合成したＯＦＤＭ時間軸波形信号１のＰＡＲ値１との関係について示している。
【００４２】
図６は、図５に示すサブキャリア信号の本数を半分に調整（削減）した状態の各サブキャリア信号から求められる時間軸波形信号の位相と、これらの時間軸波形信号を合成したＯＦＤＭ時間軸波形信号２のＰＡＲ値２との関係について示している。特に、図６においては、図５に示す偶数番号に配置されるサブキャリア信号（ｆ２、ｆ４及びｆ６）を削減した状態について示している。
【００４３】
図５及び図６に示すように、本数を削減した場合（図６）のサブキャリア信号から求められるＯＦＤＭ時間軸波形信号２から検出されるＰＡＲ値２は、本数を削減していない場合（図５）のサブキャリア信号から求められるＯＦＤＭ時間軸波形信号１から検出されるＰＡＲ値１と比べて小さくなることが分かる。
【００４４】
以下、本実施の形態に係るＡＤＳＬモデム装置２において、ＯＦＤＭ時間軸波形信号から検出されるＰＡＲ値の大きさに応じてサブキャリア信号の本数を削減しながら通信を行う際の動作について説明する。
【００４５】
なお、以下においては、交換局装置（ＡＴＵ-Ｃ）側のＡＤＳＬモデム装置２から家庭内の端末装置（ＡＴＵ−Ｒ）側のＡＤＳＬモデム装置２に対してデータを送信する場合（いわゆる下り方向）について説明するが、家庭内の端末装置（ＡＴＵ−Ｒ）側のＡＤＳＬモデム装置２から交換局装置（ＡＴＵ-Ｃ）側のＡＤＳＬモデム装置２に対してデータを送信する場合（いわゆる上り方向）についても適用することが可能である。
【００４６】
図７は、交換局装置（ＡＴＵ-Ｃ）側のＡＤＳＬモデム装置２において、ＯＦＤＭ時間軸波形信号から検出されるＰＡＲ値の大きさに応じてサブキャリア信号の本数を削減しながら通信を行う際の動作について説明するためのフロー図である。
【００４７】
ＡＴＵ−Ｒ側のＡＤＳＬモデム装置２と通信を行う場合、まず、ＡＴＵ−Ｃ側のＡＤＳＬモデム装置２のＩＦＦＴ部２６において、Ｓ／Ｐ変換部４０は、コンステレーション符号化部２５から受信したコンステレーション座標信号にＳ／Ｐ変換処理を行い、５１２本のサブキャリア信号を得る（ＳＴ７０１）。そして、５１２本のサブキャリア信号を第１ＩＦＦＴ処理部４１及びサブキャリア選択ＳＷ４５−１〜４５−５１２に出力する。
【００４８】
Ｓ／Ｐ変換部４０から出力されたサブキャリア信号が到達すると、第１ＩＦＦＴ処理部４１は、ＩＦＦＴ処理を行い、各サブキャリア信号の時間軸波形信号を得る（ＳＴ７０２）。そして、これらの時間軸波形信号を合成して得たＯＦＤＭ時間軸波形信号をＰＡＲ検出部４２に出力する。
【００４９】
ＯＦＤＭ時間軸波形信号を受け取ると、ＰＡＲ検出部４２は、このＯＦＤＭ時間軸波形信号のＰＡＲ値を検出する（ＳＴ７０３）。そして、検出したＰＡＲ値をサブキャリア調整部４３に出力する。
【００５０】
ＰＡＲ値を受け取ると、サブキャリア調整部４３は、このＰＡＲ値に応じてサブキャリア信号の本数を調整する処理（以下、「サブキャリア調整処理」という）を行う（ＳＴ７０４）。そして、このサブキャリア調整処理により決定したサブキャリア信号の本数をサブキャリア選択部４４に出力する。
【００５１】
図８は、サブキャリア調整部４３によるサブキャリア調整処理を説明するためのフロー図である。
【００５２】
サブキャリア調整処理を行う場合、サブキャリア調整部４３は、まず、ＰＡＲ値Ｙが２４ｄＢ以上であるか判断する（ＳＴ８０１）。ＰＡＲ値Ｙが２４ｄＢ以上である場合には、サブキャリア信号の本数を３２本に設定して（ＳＴ８０２）、処理を終了する。
【００５３】
ＰＡＲ値Ｙが２４ｄＢ以上でない場合には、２１ｄＢ以上２４ｄＢ未満であるか判断する（ＳＴ８０３）。ＰＡＲ値Ｙが２１ｄＢ以上２４ｄＢ未満である場合にはサブキャリア信号の本数を３２本に設定して（ＳＴ８０４）、処理を終了する。
【００５４】
ＰＡＲ値Ｙが２１ｄＢ以上２４ｄＢ未満でない場合には、１８ｄＢ以上２１ｄＢ未満であるか判断する（ＳＴ８０５）。ＰＡＲ値Ｙが１８ｄＢ以上２１ｄＢ未満である場合にはサブキャリア信号の本数を６４本に設定して（ＳＴ８０６）、処理を終了する。
【００５５】
ＰＡＲ値Ｙが１８ｄＢ以上２１ｄＢ未満でない場合には、１５ｄＢ以上１８ｄＢ未満であるか判断する（ＳＴ８０７）。ＰＡＲ値Ｙが１５ｄＢ以上１８ｄＢ未満である場合にはサブキャリア信号の本数を１２８本に設定して（ＳＴ８０８）、処理を終了する。
【００５６】
ＰＡＲ値Ｙが１５ｄＢ以上１８ｄＢ未満でない場合には、１２ｄＢ以上１５ｄＢ未満であるか判断する（ＳＴ８０９）。ＰＡＲ値Ｙが１２ｄＢ以上１５ｄＢ未満である場合にはサブキャリア信号の本数を２５６本に設定して（ＳＴ８１０）、処理を終了する。
【００５７】
ＰＡＲ値Ｙが１２ｄＢ以上１５ｄＢ未満でない場合には、１２ｄＢ未満であるか判断する（ＳＴ８１１）。ＰＡＲ値Ｙが１２ｄＢ未満である場合にはサブキャリア信号の本数を５１２本に設定して（ＳＴ８１２）、処理を終了する。なお、ＰＡＲ値Ｙが１２ｄＢ未満でない場合には、サブキャリア調整部４３は、処理をＳＴ８０１に戻し、同様の処理を繰り返す。このようにしてサブキャリア調整処理が行われ、決定されたサブキャリア信号の本数がサブキャリア選択部４４に出力される。
【００５８】
サブキャリア調整処理により決定されたサブキャリア信号の本数が到達すると、サブキャリア選択部４４は、このサブキャリア信号の本数に応じてサブキャリア選択ＳＷ４５−１〜４５−５１２の開閉状態を決定する処理（以下、「サブキャリア選択処理」という）を行う（ＳＴ７０５）。
【００５９】
サブキャリア選択処理によりサブキャリア選択ＳＷ４５−１〜４５−５１２の開閉状態が決定されると、その開閉状態に応じてサブキャリア信号が第２ＩＦＦＴ処理部４６に出力される。サブキャリア信号が到達すると、第２ＩＦＦＴ処理部４６は、ＩＦＦＴ処理を行い、各サブキャリア信号の時間軸波形信号を得る（ＳＴ７０６）。そして、これらの時間軸波形信号を合成して得たＯＦＤＭ時間軸波形信号をＡＦＥ１３に出力する（ＳＴ７０７）。
【００６０】
ＡＦＥ１３に出力されたＯＦＤＭ時間軸波形信号は、アナログフィルタ１４、ドライバ１５及びハイブリッド１６を介して回線へ送出され、受信側のＡＤＳＬモデム装置２に到達する。このようにして交換局装置（ＡＴＵ-Ｃ）側のＡＤＳＬモデム装置２において、ＯＦＤＭ時間軸波形信号から検出されるＰＡＲ値の大きさに応じてサブキャリア信号の本数を削減しながら通信を行う際の動作が終了する。
【００６１】
このように本実施の形態に係る送信側のＡＤＳＬモデム装置２によれば、相手側ＡＤＳＬモデム装置に対してデータを送信する際、第１のＯＦＤＭ時間軸波形信号から検出されたＰＡＲ値の大きさに応じて複数本のサブキャリア信号から削減された本数のサブキャリア信号に逆高速フーリエ変換を行い第２のＯＦＤＭ時間軸波形信号を算出する。したがって、サブキャリア信号の本数が削減されることによってＰＡＲ値が極めて大きくなる事態を確実に回避することができるので、ＯＦＤＭ時間軸波形信号の信号品質特性の劣化を回避し、伝送特性を良好に維持しながら通信を行うことができる。
【００６２】
特に、本実施の形態に係るＡＤＳＬモデム装置２においては、ＰＡＲ検出部４２でＯＦＤＭ時間軸波形信号１のＰＡＲ値１が検出され、サブキャリア調整部４３でＰＡＲ値の大きさに応じてサブキャリア信号の本数が削減される。このため、第２ＩＦＦＴ処理部４６は、サブキャリア調整部４３による削減後の本数のサブキャリア信号に応じてＯＦＤＭ時間軸波形信号２を適切に算出することができる。
【００６３】
また、本実施の形態に係るＡＤＳＬモデム装置２においては、ＰＡＲ値Ｙとサブキャリア信号の本数とが対応付けられたサブキャリア本数テーブルに従って削減するサブキャリア信号の本数が決定される。このため、サブキャリア本数テーブルの内容に従って適切に削減するサブキャリア信号の本数を決定することができる。
【００６４】
なお、本実施の形態においては、５１２本のサブキャリア信号のうち、偶数番目に配置されるサブキャリア信号を削減してサブキャリア信号の本数を調整する場合について説明している。しかし、これに限定されるものではなく、ＰＡＲ値の大きさを小さくすることができるのであれば、様々なバリエーションでサブキャリア信号の本数を調整することが可能である。例えば偶数番号の変わりに奇数番号に配置されるサブキャリア信号の位相を回転するようにしてもよいし、乱数処理で選んだサブキャリア信号を所定数だけ削減するようにしてもよい。
【産業上の利用可能性】
【００６５】
本発明に係るＡＤＳＬモデム装置及び通信制御方法によれば、ＯＦＤＭ時間軸波形信号の信号品質特性の劣化を回避し、伝送特性を良好に維持しながら通信を行うことができ、より利用性に優れたＡＤＳＬサービスを提供できる点で有用である。
【図面の簡単な説明】
【００６６】
【図１】本発明が適用される家庭内などに設置された端末装置（ＡＴＵ−Ｒ）側又は交換局装置（ＡＴＵ−Ｃ）側の通信システムの概略構成を示す図
【図２】上記通信システムのトランシーバの機能ブロック図
【図３】上記トランシーバが有するＩＦＦＴ部の詳細な構成を示すブロック図
【図４】上記ＩＦＦＴ部のサブキャリア調整部が有するサブキャリア本数テーブルの内容の一例を示す図
【図５】上記ＩＦＦＴ部で各サブキャリア信号から求められる時間軸波形信号の位相と、これらの時間軸波形信号を合成したＯＦＤＭ時間軸波形信号のＰＡＲ値との関係を示す図
【図６】上記ＩＦＦＴ部で各サブキャリア信号から求められる時間軸波形信号の位相と、これらの時間軸波形信号を合成したＯＦＤＭ時間軸波形信号のＰＡＲ値との関係を示す図
【図７】上記に係る交換局装置（ＡＴＵ-Ｃ）側のＡＤＳＬモデム装置において、ＯＦＤＭ時間軸波形信号から検出されるＰＡＲ値の大きさに応じてサブキャリア信号の本数を削減しながら通信を行う際の動作について説明するためのフロー図
【図８】上記ＩＦＦＴ部のサブキャリア調整部によるサブキャリア調整処理を説明するためのフロー図
【符号の説明】
【００６７】
１  スプリッタ
２  ＡＤＳＬモデム装置
３  ユーザ端末
４  電話機
１１  トランシーバ
１２  ホスト
１３  ＡＦＥ
１４  アナログフィルタ
１５  ドライバ
１６  ハイブリッド
１７  レシーバ
１８  アナログフィルタ
２０  プロセッサ
２１  リードソロモン符号化部
２２  インターリーブ部
２３  トレリス符号化部
２４  トーンオーダリング部
２５  コンステレーション符号化部
２６  ＩＦＦＴ部
２７  ＦＦＴ部
２８  コンステレーション復号化／ＦＥＱ部
２９  トーンデオーダリング部
３０  ビタビ復号化部
３１  デインターリーブ部
３２  リードソロモン復号化部
３３  ＲＡＭ
４０  Ｓ／Ｐ変換部
４１  第１ＩＦＦＴ処理部
４２  ＰＡＲ検出部
４３  サブキャリア調整部
４４  サブキャリア選択部
４５−１〜４５−５１２  サブキャリア選択スイッチ（ＳＷ）
４６  第２ＩＦＦＴ処理部
【図１】
2006074489.tif 000003
【図２】
2006074489.tif 000004
【図３】
2006074489.tif 000005
【図４】
2006074489.tif 000006
【図５】
2006074489.tif 000007
【図６】
2006074489.tif 000008
【図７】
2006074489.tif 000009
【図８】
2006074489.tif 000010